(57)【要約】【課題】赤外線センサーを用いる場合と比べて住人の生活状況を検出する機器を適切な場所に容易に設置でき、できるだけ誤検出を防止できるようにする。【解決手段】住人が視線を合わせる可能性が高い物品に虹彩パターンを撮影するカメラ２を取り付け、住人が在室している状態でタイマー４を動作させて、カメラ２で撮影した虹彩パターンと記憶されている住人の虹彩パターンとを比較し、両者が一致した場合にタイマー４をリセットする一方、タイマー４により計測した時間が所定時間以上となった場合に住人に異常が生じたことを報知するので、住人が視線を合わせる可能性が高い物品にカメラ２を取り付けるだけで住人の生活状況の検出が行われ、設置場所の検証を行って誤検出の有無を調べる必要がなくなる。また、虹彩パターンが一致した場合にのみ住人の検出が行われるので、住人の検出とその他の検出とを明確に区別することができる。【選択図】図１
2014063326.tif 000002
【特許請求の範囲】
【請求項１】
住居内に設置されており、住人が視線を合わせる可能性が高い物品に取り付けられ、前記物品に目を合わせた人の虹彩パターンを撮影するカメラと、
前記住居内に住人が在室しているか否かを検出する在不在検出装置と、
時間を計測するタイマーと、
前記住人の虹彩パターンを予め記憶する記憶装置と、
前記住人に異常が発生したことを報知する通報装置と、
前記在不在検出装置が前記住居内に前記住人が在室していることを検出している状態で前記タイマーを動作させ、前記カメラが虹彩パターンを撮影した場合に、前記記憶装置を参照して、前記カメラが撮影した虹彩パターンと前記記憶装置に記憶されている前記住人の虹彩パターンとを比較して、両者が一致したときに、前記タイマーによる時間の計測をリセットし、前記タイマーにより計測された時間が所定時間以上となった場合に、前記通報装置を動作させる制御装置と、
を備えたことを特徴とする住宅監視システム。
【発明の詳細な説明】
【技術分野】
【０００１】
本発明は、集合住宅における各住居における住人の異常を管理人などに通報する住宅監視システムに関する。
【背景技術】
【０００２】
従来、核家族化などの進行により、高齢者のみが居住する住宅が増えている。また、このような高齢者が居住する住居を集めて、管理室などで管理人が各住居の様子を監視する住宅監視システムが知られている。このような住宅監視システムにおいて、所定の場所に設置した赤外線センサーにより住居内の住人の動きを検出し、赤外線センサーにより住人の動きが検出できない時間を測定して、その時間が所定時間以上になった場合に、住人に異常があったと判定して通報を行う集合住宅監視装置が知られている（例えば、特許文献１など）。
【０００３】
しかしながら、特許文献１に記載の技術では、住人の動きを検出するために赤外線センサーを用いるため、赤外線センサーの設置場所によっては、赤外線センサーが誤検出をして、住人に異常があるにも関わらず、赤外線センサーによる検出が行われてしまうという問題があった。ここで、赤外線センサーがエアコンの吹き出し口の近くに設置されていたり、赤外線センサーがカーテンなどの近くに設置されていて、検出範囲内のカーテンなどが風になびいたりすると、赤外線センサーが誤検出をすることがあった。
【０００４】
このような問題を解決するためには、実際に赤外線センサーを設置した後に、設置場所の検証を行なって、赤外線センサーを適切な場所に設置する必要があった。そのため、上述した集合住宅監視装置に用いられる赤外線センサーを設置するために多大な工数がかかってしまうという問題があった。
【０００５】
また、赤外線センサーが適切な場所に設置されていても、赤外線センサーの検出範囲でペットなどの動物が動くと、赤外線センサーが誤検出することがあった。そのため、ペットなどの動物が居る住居では、上述した集合住宅監視装置を使用することができなかったり、住人に異常があったことを適切に通報することができなくなってしまうという問題があった。
【先行技術文献】
【特許文献】
【０００６】
【特許文献１】特開昭６１−２７９２２１号公報
【発明の概要】
【発明が解決しようとする課題】
【０００７】
本発明は、これらの問題を解決するために成されたものであり、赤外線センサーを用いる場合と比較して、集合住宅に居る住人の生活状況を検出する機器を適切な場所に容易に設置できるようにしつつ、できるだけ誤検出を防止できるようにすることを目的とする。
【課題を解決するための手段】
【０００８】
上述した課題を解決するために、本発明では、テレビやパソコンのディスプレイ、鏡、時計、携帯電話などの住人が視線を合わせる可能性が高い物品に虹彩パターンを撮影するカメラを取り付け、住人が在室しているか否かを検出し、住居内に住人が在室していることを検出している状態でタイマーを動作させて、カメラで撮影した虹彩パターンと予め記憶されている住人の虹彩パターンとを比較し、両者が一致した場合に、タイマーによる時間の計測をリセットし、タイマーにより計測された時間が所定時間以上となった場合に、住人に異常が生じたと判定して通報を行うようにしている。
【発明の効果】
【０００９】
上記のように構成した本発明によれば、住人が視線を合わせる可能性が高い物品に虹彩パターンを撮影するカメラを取り付けるだけで住人の生活状況の検出が行われるので、機器を設置した後に設置場所の検証を行って誤検出の有無を調べる必要がなくなり、赤外線センサーを用いる場合と比較して、住人の生活状況の検出を行う機器を適切な場所に容易に設置することができる。また、カメラで撮影した虹彩パターンと予め記憶されている住人の虹彩パターンとが一致した場合にのみ住人の生活状況の検出が行われるので、住人の生活状況の検出と設置位置による誤検出とを明確に区別することができる。また、住人の生活状況の検出とペットなどの動物の検出とを明確に区別することもできる。
【図面の簡単な説明】
【００１０】
【図１】本実施形態による住宅監視システムの構成例を示すブロック図である。
【図２】本実施形態による住宅監視システムの動作を示すフローチャートである。
【発明を実施するための形態】
【００１１】
以下、本発明の一実施形態を図面に基づいて説明する。図１は、本実施形態による住宅監視システムの構成例を示すブロック図である。図１に示すように、本実施形態による住宅監視システムは、制御装置１、カメラ２、在不在検出装置３、タイマー４、記憶装置５、通報装置１０を備えて構成されている。ここで、制御装置１、カメラ２、在不在検出装置３、タイマー４、記憶装置５は、住人の安否を監視すべき各住居に設置されている。また、通報装置１０は、制御部１０ａおよび報知部１０ｂを備えて構成されている。また、通報装置１０は、管理人が常駐する管理室や、警備会社の施設内などに設置される。
【００１２】
制御装置１は、住居内の各機器（カメラ２、在不在検出装置３、タイマー４、記憶装置５）を制御するためのものである。カメラ２は、人や動物の虹彩パターンを撮影するためのものであり、周知のカメラが用いられる。ここで、カメラ２が撮影した画像データは、制御装置１へ出力される。また、カメラ２は、テレビやパソコンのディスプレイ、鏡、時計、携帯電話などの住人が視線を合わせる可能性が高い物品に取り付けられる。このとき、住人が視線を合わせる可能性が高い物品に、住人の視線が合うように、カメラ２の向きを決める必要がある。
【００１３】
例えば、上述した物品としてテレビやパソコンのディスプレイ、携帯電話が用いられる場合には、テレビやディスプレイ、携帯電話の画面と同じ側にレンズが向くようにカメラ２がテレビやディスプレイ、携帯電話に取り付けられる。また、上述した物品として鏡が用いられる場合には、鏡面と同じ側にレンズが向くようにカメラ２が鏡に取り付けられる。また、上述した物品として時計が用いられる場合には、時計の文字盤と同じ側にレンズが向くようにカメラ２が時計に取り付けられる。なお、カメラ２は、上述した物品の何れか一つに取り付けられていても良いし、複数の物品に取り付けられていても良い。
【００１４】
在不在検出装置３は、住居内に住人が在室しているか不在であるかを検出するためのものである。ここで、在不在検出装置３は、住居の玄関の扉に設置されている電気錠などにより構成されている。電気錠が住居の外側から施錠された場合には、在不在検出装置３は住人の不在を検出する。一方、電気錠が解錠された場合には、在不在検出装置３は住人の在室を検出する。在不在検出装置３は、住人の在室を検出した場合に、在室信号を生成して制御装置１へ出力する。また、在不在検出装置３は、住人の不在を検出した場合に、不在信号を生成して制御装置１へ出力する。
【００１５】
なお、本実施形態では、在不在検出装置３として電気錠を用いているが、これに限定されない。例えば、玄関などに設置された在不在設定ボタンを在不在検出装置３として用いるようにしても良い。具体的には、住人が外出する際に在不在設定ボタンを操作すると、在不在検出装置３が不在信号を生成して制御装置１へ出力し、住人が帰宅時に在不在設定ボタンを操作すると、在不在検出装置３が在室信号を生成して制御装置１へ出力する。
【００１６】
在室信号を入力した制御装置１は、後述するように、住居内の各機器を在室モードへ移行させる。一方、不在信号を入力した制御装置１は、後述するように、住居内の各機器を不在モードへ移行させる。
【００１７】
タイマー４は、時間を計測するためのものである。在不在検出装置３から在室信号を入力した制御装置１は、タイマー４を動作させる。
【００１８】
記憶装置５は、ハードディスク装置やメモリ装置などにより構成されており、住人の虹彩パターンを予め記憶している。ここで、住人の虹彩パターンは、住人の入居時などに登録される。なお、住居内に住人が複数居る場合には、複数の虹彩パターンが記憶装置５に記憶される。
【００１９】
このように構成された各住居内の機器は、次のように動作する。住人が帰宅するなどして、在不在検出装置３が住人の在室を検出すると、在不在検出装置３は在室信号を制御装置１へ出力する。制御装置１は、カメラ２を動作させるとともに、タイマー４を動作させる。カメラ２は、撮影した画像データを制御装置１へ出力する。制御装置１では、カメラ２から入力した画像データと記憶装置５に記憶されている虹彩パターンとを比較し、両者が一致した場合には、タイマー４をリセットする。リセットされたタイマー４は時間の計測を初期値から開始する。
【００２０】
一方、カメラ２から入力した画像データと記憶装置５に記憶されている虹彩パターンとが一致しないまま、タイマー４が計測した時間が所定時間以上になったと制御装置１にて判定した場合には、制御装置１は、通報信号を生成して通報装置１０へ出力する。ここで、通報信号には、通報信号を出力した制御装置１を他の制御装置１と識別するための識別情報が含まれる。この識別情報としては、住居の部屋番号などが用いられる。また、上述した所定時間は、住人の生活の状況が検出されなくなってから住人に異常が発生したことを報知するまでの時間であり、住人の状態に応じて、１時間〜１２時間程度の間で住宅監視システムの提供者や住宅監視システムの管理人などにより設定される。
【００２１】
また、カメラ２から入力した画像データと記憶装置５に記憶されている虹彩パターンとが一致しないまま、タイマー４が計測した時間が所定時間以上になっていないと制御装置１にて判定した場合に、在不在検出装置３が住居内の住人の不在を検出したときには、制御装置１は、タイマー４の動作を停止させる。
【００２２】
通報装置１０は、上述したように、管理室などに設置されており、各住居の制御装置１を接続している。また、通報装置１０の制御部１０ａは、ＣＰＵ（Central Processing Unit）などにより構成されており、報知部１０ｂを制御する。報知部１０ｂは、住人に異常があったことを報知するためのものであり、スピーカーやディスプレイなどにより構成される。この報知を受けて、管理人や警備会社の担当者は住居内の状況を確認する。ここで、通報信号を入力した通報装置１０では、制御部１０ａが報知部１０ｂを動作させる。このとき、通報信号に含まれる識別情報を示す音声をスピーカーから出力したり、識別情報をディスプレイに表示したりすることで、住人に異常があった住居を特定することができる。
【００２３】
次に、本実施形態による住宅監視システムの動作を説明する。図２は、本実施形態による住宅監視システムの動作を示すフローチャートである。まず、住居内の住人が在室しているか否かを在不在検出装置３にて調べる（ステップＳ１）。住人が不在であると在不在検出装置３にて検出した場合には（ステップＳ１にてＮＯ）、ステップＳ１の処理に戻る。一方、住人が在室していると在不在検出装置３にて検出した場合には（ステップＳ１にてＹＥＳ）、制御装置１はタイマー４を動作させ、タイマー４は時間の計測を開始する（ステップＳ２）。
【００２４】
その状態で、カメラ２が撮影した画像データと記憶装置５に記憶されている住人の虹彩パターンとが一致したか否かを制御装置１にて調べる（ステップＳ３）。カメラ２が撮影した画像データが虹彩パターンと一致したと制御装置１にて判定した場合には（ステップＳ３にてＹＥＳ）、制御装置１はタイマー４をリセットし、タイマー４は時間の計測を初期値から開始する（ステップＳ４）。
【００２５】
一方、カメラ２が撮影した画像データが虹彩パターンと一致していないと制御装置１にて判定した場合には（ステップＳ３にてＮＯ）、住居内の住人が在室しているか否かを在不在検出装置３にて調べる（ステップＳ５）。
【００２６】
住人が不在であると在不在検出装置３にて検出した場合には（ステップＳ５にてＮＯ）、制御装置１はタイマー４を停止させ、タイマー４は時間の計測を終了する（ステップＳ６）。一方、住人が在室していると在不在検出装置３にて検出した場合には（ステップＳ５にてＹＥＳ）、制御装置１は、タイマー４にて計測された時間が所定時間以上になったか否かを調べる（ステップＳ７）。
【００２７】
タイマー４にて計測された時間が所定時間以上になっていないと制御装置１にて判定した場合には（ステップＳ７にてＮＯ）、ステップＳ３の処理へ戻る。一方、タイマー４にて計測された時間が所定時間以上になったと制御装置１にて判定した場合には（ステップＳ７にてＹＥＳ）、制御装置１は通報信号を生成して通報装置１０へ出力し、通報信号を入力した通報装置１０では、制御部１０ａが報知部１０ｂを動作させて通報を行う（ステップＳ８）。
【００２８】
以上詳しく説明したように、本実施形態によれば、テレビやパソコンのディスプレイ、鏡、時計、携帯電話などの住人が視線を合わせる可能性が高い物品に虹彩パターンを撮影するカメラ２を取り付ける。また、住人が在室しているか否かを在不在検出装置３にて検出し、住居内に住人が在室していることを検出している状態で制御装置１はタイマー４を動作させて、カメラ２で撮影した画像データと予め記憶装置５に記憶されている住人の虹彩パターンとを比較し、両者が一致した場合に、制御装置１はタイマー４による時間の計測をリセットし、タイマー４により計測された時間が所定時間以上となった場合に、制御装置１は通報信号を生成して通報装置１０へ出力し、通報装置１０は、住人に異常が生じたことを報知するようにしている。
【００２９】
これにより、住人が視線を合わせる可能性が高い物品に虹彩パターンを撮影するカメラ２を取り付けるだけで住人の生活状況の検出が行われるので、機器を設置した後に設置場所の検証を行って誤検出の有無を調べる必要がなくなり、赤外線センサーを用いる場合と比較して、適切な場所に容易にカメラ２を設置することができる。また、カメラ２で撮影した虹彩パターンと予め記憶されている住人の虹彩パターンとが一致した場合にのみ住人の生活状況の検出が行われるので、住人の検出と設置位置による検出とを明確に区別することができ、住人の検出とペットなどの動物の検出とも明確に区別することができる。従って、できるだけ誤検出を防止することができる。
【００３０】
なお、本実施形態では、在不在検出装置３として電気錠を用いているが、これに限定されない。例えば、玄関などに設置された在不在設定ボタンを在不在検出装置３として用いるようにしても良い。具体的には、住人が外出する際に在不在設定ボタンを操作すると、在不在検出装置３が不在信号を生成して制御装置１へ出力し、住人が帰宅時に在不在設定ボタンを操作すると、在不在検出装置３が在室信号を生成して制御装置１へ出力する。
【００３１】
また、前述した実施形態では、タイマー４により計測された時間が所定時間以上になったかどうかを制御装置１にて判定しているが、これに限定されない。例えば、通報装置１０などにより判定するようにしても良い。
【００３２】
また、前述した実施形態では、タイマー４、記憶装置５を各住居に設置しているが、これに限定されない。例えば、タイマー４、記憶装置５を住居以外の管理室などに設置するようにしても良い。
【００３３】
また、前述した実施形態では、カメラ２が撮影した画像データと住人の虹彩パターンとを比較しているが、これに限定されない。例えば、カメラ２が撮影した画像データが虹彩パターンであるか否かを判定し、虹彩パターンであると判定された場合にのみ記憶装置５に記憶されている住人の虹彩パターンと比較するようにしても良い。これにより、制御装置１が記憶装置５にアクセスする頻度が少なくなる。
【００３４】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００３５】
１    制御装置
２    カメラ
３    在不在検出装置
４    タイマー
５    記憶装置
１０    通報装置
１０ａ    制御部
１０ｂ    報知部
【図１】
2014063326.tif 000003
【図２】
2014063326.tif 000004